(57)【要約】【課題】所望の時間内で視聴可能なコンテンツを素早く選択可能とする。【解決手段】実施形態によれば、記録再生装置において、記憶媒体に記憶されたコンテンツそれぞれの前記１倍速再生による第１の再生モードの再生時間及び前記第１の再生モードとは異なる第２の再生モードの再生時間それぞれの情報に基づいて、指定された再生時間内に収まる再生時間のコンテンツの検索を行い、前記検索によって検出されたコンテンツのリストを生成する。【選択図】図２
2019140608.tif 000002
【特許請求の範囲】
【請求項１】
記憶媒体に記憶されたコンテンツそれぞれの全体１倍速再生による第１の再生モードの再生時間及び前記第１の再生モードとは異なる第２の再生モードの再生時間それぞれの情報に基づいて、指定された再生時間内に収まる再生時間のコンテンツの検索を行い、前記検索によって検出されたコンテンツのリストを生成する記録再生方法。
【請求項２】
前記検索は、予めコンテンツ毎に前記第１の再生モードまたは前記第２の再生モードが選択されており、この選択された再生モードの再生時間それぞれの情報に基づいて、指定された再生時間内に収まる再生時間のコンテンツの検索を行う請求項１記載の記録再生方法。
【請求項３】
前記第２の再生モードは、前記コンテンツの再生時間を短縮する時短再生モードである請求項１記載の記録再生方法。
【請求項４】
前記時短再生モードの再生時間が前記コンテンツの再生出力先に応じて異なるとき、
前記検索は、前記コンテンツの再生出力先に応じて行う請求項３記載の記録再生方法。
【請求項５】
前記リストには、前記コンテンツそれぞれに前記再生時間の情報を付加する請求項１記載の記録再生方法。
【請求項６】
さらに、外部機器との間で、前記再生時間、前記リスト、前記コンテンツの選択の情報を送受信する請求項１記載の記録再生方法。
【請求項７】
記憶媒体に記憶されたコンテンツそれぞれの全体１倍速再生による第１の再生モードの再生時間及び前記第１の再生モードとは異なる第２の再生モードの再生時間それぞれの情報に基づいて、指定される再生時間の時間内に収まる再生時間のコンテンツの検索を行う検索部と、
前記検索により検出されたコンテンツのリストを生成する生成部と
を具備する記録再生装置。
【発明の詳細な説明】
【技術分野】
【０００１】
本発明に係る実施形態は、録画リストの絞込み機能を持つ記録再生装置及び記録再生方法に関する。
【背景技術】
【０００２】
現在の記録再生装置は、放送信号により送られてくる番組コンテンツ、ＤＶＤ（登録商標）、ブルーレイ（登録商標）などに収録された映画、ニュースドキュメントなどを含むデータコンテンツを、内蔵した記録媒体（ハードディスク）や外付けの記録媒体（ＵＳＢ接続されたハードディスク）に記録可能であり、また記録した番組コンテンツやデータコンテンツ（以下、録画コンテンツで総称する）を再生したりすることができる。
【０００３】
一方、上記記録再生装置では、その記録再生装置に接続されているテレビのみならず、宅内の別部屋、或いは外出先等の宅外において、いわゆるスマートフォン又はタブレット等の携帯可能な情報通信端末（以下、携帯端末で総称する）に、通信回線を利用して録画コンテンツを提供する機能が搭載されるようになり、ユーザは場所に関係なく録画コンテンツの視聴が可能になった。
【０００４】
ところで、上記記録再生装置では、ユーザが録画コンテンツから視聴したいコンテンツを選択するための録画リストを提供する機能を有しており、テレビまたは携帯端末の表示画面上で、再生選択可能な録画リスト画面を構築して提供している。この場合、録画リストには、録画されているコンテンツの中から「すべて」を選択して表示するか、あるいは「ニュース」「ドラマ」「映画」等のジャンル／カテゴリ毎にまとめて表示し、ユーザはこの中から任意の録画コンテンツを選択指定することで、所望の録画コンテンツを再生することができる。
【０００５】
ところで、テレビまたは携帯端末で録画コンテンツを再生する場面を考察すると、例えば、サラリーマンや学生が通勤通学途中の電車内で視聴する、昼休みに視聴する等、または主婦が家事の合間（洗濯機稼働時間や子供の送り迎えまでの待ち時間）に視聴する等、どちらも限られた時間内に視聴したい。しかしながら、従来では、録画リストから所望の時間内で視聴可能なコンテンツを、素早く選択できない、等の課題があった。
【先行技術文献】
【特許文献】
【０００６】
【特許文献１】特開２０１７−１０３７４３号公報
【発明の概要】
【発明が解決しようとする課題】
【０００７】
上記したように記録再生装置では、所望の時間内で視聴可能なコンテンツを素早く選択できない、等の課題があった。
【０００８】
そこで、一実施形態においては、所望の時間内で視聴可能なコンテンツを素早く選択可能な記録再生装置及びその記録再生方法を提供することを目的とする。
【課題を解決するための手段】
【０００９】
本願の一実施形態は、記録再生装置において、記憶媒体に記憶されたコンテンツそれぞれの全体１倍速再生による第１の再生モードの再生時間及び前記第１の再生モードとは異なる第２の再生モードの再生時間それぞれの情報に基づいて、指定された再生時間内に収まる再生時間のコンテンツの検索を行い、前記検索によって検出されたコンテンツのリストを生成する。
【図面の簡単な説明】
【００１０】
【図１】図１は、本実施形態が適用された記録再生装置の構成例を示すブロック図。
【図２】図２は、本実施形態の第１の実施形態とする録画リスト作成手順を示すフローチャート。
【図３】図３は、本実施形態の第２の実施形態とする録画リスト作成手順を示すフローチャート。
【図４】図４は、本実施形態の第３の実施形態とする録画リスト作成手順を示すフローチャート。
【図５】図５は、第３の実施形態における再生コース例を示す図。
【図６】図６は、携帯端末で通常表示される録画リストの一例を示す図。
【図７】図７は、携帯端末で「ＴＶで再生」を選択した場合の録画リストの一例を示す図。
【図８】図８は、携帯端末で「スマホで再生」を選択した場合の録画リストの一例を示す図。
【発明を実施するための形態】
【００１１】
以下、実施の形態について図面を参照して説明する。
【００１２】
図１は、一実施形態が適用された記録再生装置１００の構成例を示すブロック図であり、記録再生装置は、例えばスクランブルされたデジタル地上波放送信号を受信する複数のチューナを含むデジタルチューナ装置１０２を有する。デジタルチューナ装置１０２は例えばＢＳ／ＣＳデジタル放送受信用のチューナ（図示せず）を含んでもよい。
【００１３】
デジタルチューナ装置１０２で受信された放送番組の信号は、ＴＳ処理部１２２に入力され、複数のチャンネル（ＣＨ）のＴＳ（Transport Stream）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケットは、制御部２００に入力されて処理される。
【００１４】
記憶装置１１１は、例えば、ハードディスクドライブ（ＨＤＤ）、光ディスク記録再生装置を含む。光ディスクにはデジタルバーサタイルディスク（ＤＶＤ）、ブルーレイ（登録商標）ディスク（ＢＤ）などが含まれる。
【００１５】
ＴＳ処理部１２２から制御部２００に送られるパケットは、放送番組を再生するのに必要な情報が記述された各種のテーブルを搬送する。テーブルは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報、プログラムマップテーブルＰＭＴ（Program Map Table）等を含む。
【００１６】
パケットに含まれる画像データは、例えばＭＰＥＧ（Moving Picture Expert Group）方式、ＡＶＣ（Advanced Video Coding）方式などでエンコードされている。またオーディオパケット内のオーディオデータは、例えば、ＰＣＭ（Pulse Code Modulation）方式、Ｄｏｌｂｙ（登録商標）方式、ＭＰＥＧ方式などでエンコードされている。
【００１７】
ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００１８】
ＴＳ処理部１２２で分離されたパケットの中で画像データを含むパケットは、画像デコーダ１３１に入力され、画像デコーダ１３１では、符号化方式に応じた復号化が実施される。画像デコーダ１３１でデコードされた画像データは、画像データ処理部１３２で、同期処理、輝度調整、色調整などが施される。画像データ処理部１３２の出力は、画像出力部１３３に供給される。画像出力部１３３は、制御部２００からのデータ、図形、番組表などをメイン画像信号に多重することができる。また画像出力部１３３は、出力画像信号に対して表示器１３４に応じたスケール、解像度、ライン数、アスペクト比などを設定して、表示器１３４に向けて出力する。
【００１９】
なお、有料番組のオーディオパケット、画像パケットが暗号化されている場合もある。この場合、鍵情報を用いて暗号化を解くための処理系統もあるがここでは省略している。
【００２０】
制御部２００は、中央演算処理ユニット（ＣＰＵ）２０１、コマンド処理部２０２、通信制御部２０３、デバイス管理部２０４、メモリ２１１、表示処理部２１２を含む。さらにＥＰＧ（Electric program guide）データ取り込み部を含むがここでは示していない。
【００２１】
制御部２００は、記録再生制御部２５１を含む。この記録再生制御部２５１は、タイムシフト録画機能を持つ。また、予約した番組を記憶装置１１１の媒体に録画する機能、さらには、記憶装置１１１で再生した例えばハードディスク、ＤＶＤ、ブルーレイディスクなどから再生したコンテンツを別の媒体（ハードディスク、ＤＶＤ、ブルーレイディスク）に記録する機能も備える。
【００２２】
タイムシフト録画機能が動作するときは、記録再生制御部２５１は、記憶装置１１１を制御し、放送される複数のチャンネルの番組を、複数日に渡って記憶装置１１１に記録することができる。したがって、記録再生制御部２５１には、録画したコンテンツや番組コンテンツをテーブル上に配列した、録画リストデータも格納されている。さらに制御部２００は、持出し準備部２５２、ダビング管理部２５３を含む。
【００２３】
ＣＰＵ２０１は、制御部２００の全体の動作シーケンスの調整を行っている。コマンド処理部２０２は、外部から入力する操作コマンドを解析し、コマンドに応じた動作を記録再生装置１００に反映させることができる。デバイス管理部２０４は、制御部２００に対して操作信号を与える携帯端末７００、リモートコントローラ４００などのデバイス識別データを把握し、管理することができる。
【００２４】
表示処理部２１２は、画像出力部１３３を介して表示器１３４に表示される画像信号を全般的に制御することができる。また表示処理部２１２は、画像信号の解像度、表示サイズ、表示エリアなどの調整処理を行うこともできる。また、ＥＰＧデータを用いて作成した番組表の画像信号や、操作信号に応じて制御部２００内で作成されたメニュー画像信号などを画像出力部１３３に供給することができる。
【００２５】
メモリ２１１は、制御部２００内で保存する各種のデータ、アプリケーションなどを保存することができる。またメモリ２１１は、不揮発性メモリを含み、通信のためのアドレスデータ、機器固有情報（レコーダ固有ＩＤ）などを格納している。
【００２６】
通信制御部２０３は、外部との通信を行い、操作コマンド、データ、コンテンツ、などを取り込むことができる。取り込まれたコンテンツ、及びデータは、例えば記憶装置１１１、或いはメモリ２１１に格納されることができる。通信制御部２０３は、記録再生装置１００から外部に向けて、データ、コンテンツ、などを送信することができる。
【００２７】
また、通信制御部２０３は、有線通信送受信部（通信器と称してもよい）１１２、無線通信送受信部（通信器と称してもよい）１１３、赤外線受信部１１４及び、ＬＡＮ送受信部１１５と接続されている。
【００２８】
有線通信送受信部１１２は、インターネットを介して、遠隔サーバ、或いはホームサーバとの間でデータの送受信を行うことができる。
【００２９】
無線通信送受信部１１３は、携帯端末７００との間でデータの送受信を行うことができ、近距離通信用である。
【００３０】
赤外線受信部１１４は、リモートコントローラ４００からの記録再生装置１００に対する操作信号を受け取って、制御部２００に送る。
【００３１】
ＬＡＮ送受信部１１５は、例えば家庭内のテレビジョン装置、他の記録再生装置、セットトップボックス、家庭内サーバと接続されている。
【００３２】
携帯端末７００は、記録再生装置１００をリモートコントロールすることができる。携帯端末７００は、図示しない基地局、インターネットなどを介してサーバをアクセスすることができる。携帯端末７００は、サーバが提供するコンテンツは勿論のこと、各種のアプリケーション、ゲームソフトなどをダウンロードし、無線通信送受信部１１３を介して、制御部２００に転送することが可能である。
【００３３】
また携帯端末７００は、コンテンツを取得するための情報（例えばウェブサーバのアドレス、メールアドレス、ネットワークアドレスなど）を、無線通信送受信部１１３を介して、制御部２００に転送することが可能である。
【００３４】
携帯端末７００からコンテンツ、アプリケーション、或いはゲームソフトが転送されてくるときは、制御部２００の通信制御部２０３が動作する。通信制御部２０３は、受け取ったコンテンツをメモリ２１１に格納する。コンテンツは、操作コマンドに応じて、或いは自動的に記憶装置１１１に格納されてもよい。記憶装置１１１は、受け取ったコンテンツを例えばハードディスクに記録させることができる。ハードディスクにおいては、コンテンツはコンテンツファイルとして管理される。
【００３５】
さらに携帯端末７００は、持出し準備部２５２が用意しているコンテンツを、自身のメモリに取り込む（ダウロード）ことができる。
【００３６】
表示用のメニュー画像信号、番組表画像信号、録画リスト信号などは、表示処理部２１２に格納及びまたは管理されている。メニューの表示、番組表の表示が行われるときは、メニュー画面データ、番組表画像信号が、表示処理部２１２の制御に基づき、データ格納部（メモリ或いはハードディスク）から読み出され、画像出力部１３３に供給される。これにより、メニュー画面や番組表画面が表示器１３４に表示される。
【００３７】
携帯端末７００が表示用のメニュー画像信号、番組表画像信号など要求した場合、表示処理部２１２は、メニュー画像信号、番組表画像信号を携帯端末７００へ送信することができる。
【００３８】
携帯端末７００は、メニュー画像信号、番組表画像信号をタッチ式パネルの画面に表示することができ、ユーザは、タッチ（或いはポイント）式パネルの画面に表示された操作ボタンに触れることにより、記録再生装置１００に動作指令信号を与えることができる。
【００３９】
上記構成による記録再生装置１００において、図２乃至図４を参照して本実施形態の処理動作を説明する。
【００４０】
図２乃至図４はそれぞれ本実施形態の第１乃至第３の実施形態とする録画リスト作成手順を示すフローチャート、図５は第３の実施形態における再生コース例を示している。
【００４１】
（第１の実施形態）  
第１の実施形態の録画リスト作成手順では、図２に示すように、ユーザが「再生時間で絞り込み」を指定した場合（ステップＳ１１）、再生時間（「全て」「６０分以内」「３０分以内」「１５分以内」）の選択画面を表示し（ステップＳ１２）、記憶装置１１１内の全ての録画コンテンツの再生時間を検索し（ステップＳ１３）、選択された再生時間内に再生可能な録画コンテンツとその再生時間の一覧を示す録画リストを生成して画面に表示する（ステップＳ１４）。
【００４２】
すなわち、第１の実施形態では、録画リスト作成において、「再生時間で絞り込み」を設定し、録画コンテンツの再生時間で録画リストの絞り込みを行う。「再生時間で絞り込み」の選択肢は、例えば、「全て」「６０分以内」「３０分以内」「１５分以内」等である。
【００４３】
以上のように、第１の実施形態では、ユーザが「再生時間で絞り込み」を指定することにより、記憶装置１１１内の全ての録画コンテンツの再生時間を検索し、所定の再生時間内に再生可能な録画コンテンツの一覧を、表示画面に録画リストとして表示することができ、ユーザが所望する時間内で再生可能なコンテンツのみを素早く提供することができる。
【００４４】
（第２の実施形態）  
第２の実施形態の録画リスト作成手順では、図３に示すように、ユーザが「再生時間で絞り込み」を指定した場合（ステップＳ２１）、再生時間（「全て」「６０分以内」「３０分以内」「１５分以内」）の選択画面を表示し（ステップＳ２２）、続いて再生コースの選択画面を表示し（ステップＳ２３）、記憶装置１１１内の全ての録画コンテンツの再生コース別の再生時間を検索し（ステップＳ２４）、選択された再生時間内に再生可能な録画コンテンツとその再生時間の一覧を示す録画リストを生成して画面に表示する（ステップＳ２５）。
【００４５】
すなわち、第２の実施形態では、録画リストの絞り込みにおいて、再生コースを選択した上で、選択された再生コースの中から「再生時間で絞り込み」で設定した再生時間に合致するものを録画リスト上に表示するための絞り込み処理を行う。「再生コース」は、例えば、「通常再生」「らく見」「らく早見／早見」「飛ばし見」等である。「通常再生」は等倍速（１倍速）ノーカットで再生を行う。「らく見」は等倍速再生且つ所定チャプタースキップを行う。「らく早見」は「らく見」をｎ倍速再生する。
【００４６】
例えば、再生コースで「３０分以内」を選択した場合を想定する。ある録画コンテンツの再生コースが「通常再生：３５分」、「らく見：２９分」、「らく早見：１５分」の時、「通常再生：３５分」では、「３０分以内」の再生コースと絞り込み条件が合わず、録画リスト上から除外されるが、「らく見：２９分」では絞り込み条件に合致するため、録画リスト上には、コンテンツ名とともに「らく見：２９分」が表示され、ユーザが所望する時間内に視聴可能な録画コンテンツの選択肢を増す効果が期待できる。
【００４７】
（第３の実施形態）  
第３の実施形態の録画リスト作成手順では、図４に示すように、ユーザの録画コンテンツの再生指示入力を受け付け、その再生出力先がＴＶ（テレビを意味する）かスマホ（携帯端末を意味する）かを判断する（ステップＳ３１）。ここで、「再生時間で絞り込み」の指定があるか判断し（ステップＳ３２）、再生時間（「全て」「６０分以内」「３０分以内」「１５分以内」）の選択画面を表示してその選択を受け付ける（ステップＳ３３）。次に、ステップＳ３１で「ＴＶで再生」が選択されている場合には、再生コースとして「通常再生」「らく見」「らく早見」「飛ばし見」の４種類の選択肢を表示し（ステップＳ３４）、「スマホで再生」が選択されている場合には、再生コースとして「通常再生」「早見」の２種類の選択肢を表示する（ステップＳ３５）。再生コースが選択された場合には、記憶装置１１１内の全てまたは所定の録画コンテンツの再生コース別の再生時間を検索し（ステップＳ３６）、選択された再生時間内に再生可能な録画コンテンツの一覧を示す録画リストを生成して画面に表示する（ステップＳ３７）。
【００４８】
すなわち、第３の実施形態では、図５に示すように、録画リストの絞り込みにおいて、テレビ視聴時と携帯端末視聴時で再生コースの選択項目を異なるようにしている。テレビが提供する再生コースとして、「通常再生」、「らく見」、「らく早見」、「らく見」を用意し、各再生コースの中から「再生時間で絞り込み」で設定した再生時間に合致するものを録画リスト上に表示する。また、携帯端末が提供する再生コースとして、「通常再生」、「早見」を用意する。
【００４９】
例えば、携帯端末の画面から「ＴＶで再生」を選択して「再生時間で絞り込み」の設定を行った場合は、記録再生装置の録画コンテンツをＴＶ側で再生するため、記録再生装置をそのままリモコンで操作する場合と同じく、再生コースは「通常再生」「らく見」「らく早見」「飛ばし見」の４種類から設定可能とする。一方、携帯端末の画面から、「スマホで再生」を選択して「再生時間で絞り込み」の設定を行った場合は、記録再生装置の録画コンテンツを携帯端末側で再生するため、再生制約等から、再生コースは「通常再生」「早見」の２種類として、「ＴＶで再生」と異なる仕様とする。これは夫々の再生環境に合わせて、再生時間で録画番組の最適な絞り込みを行い、録画リストを提供するためである。
【００５０】
また、図７に記載するような「お気に入り」、「おすすめ」、「いつもの」、「バラエティ」等のジャンル（カテゴリ）を選択することで、夫々のジャンルにおいて、「再生時間で絞り込み」を実施することも可能である（図示せず）。  以上のように、第３の実施形態では、「録画リスト」で再生する録画コンテンツを選択する手段に加え、録画コンテンツを再生する時間によって「再生コース」を選択可能な「時短で見る」機能において、ユーザが「再生時間で絞り込み」を指定することにより、自宅に設置した記録再生装置内の全ての録画コンテンツの再生時間を検索し、所定の再生時間内に再生可能な録画コンテンツとその再生時間の一覧を、スマホ等の携帯端末画面に録画リストの形式で表示することで、ユーザ所望の時間内で再生可能なコンテンツのみを素早く提供することができる。
【００５１】
また、自宅に居る場合は、「ＴＶで再生する」か「スマホで再生する」かを選択でき、リビングで見る場合は「ＴＶで再生する」を選択して大画面で所望の録画コンテンツを視聴することができ、寝室や浴室で見る場合は「スマホで再生する」を選択して、所望の録画コンテンツを視聴することができ、僅かな空き時間でも有効に活用することができる。
【００５２】
（実施例）  
スマホ画面に録画番組（録画コンテンツを意味する）を「録画リスト」として表示する場合、通常は図６に示すように、例えば録画時刻順に一覧表示しており、ユーザはこの中から所望の番組をスライド表示させながら選択している。このような表示では、サラリーマンや学生が通勤通学途中の電車内で視聴する、昼休みに視聴する等、または主婦が家事の合間（洗濯機稼働時間や子供の送り迎えまでの待ち時間）に視聴する等、限られた時間内に録画番組を視聴したい要求に対して、録画リストから、所望の時間内で視聴可能な番組を素早く選択することは困難である。
【００５３】
これに対して、本実施形態では、「録画リスト」の作成において、再生時間での絞り込みを加え、さらに時短で見る再生コースの選択肢、ＴＶ／スマホ別の選択肢も加えることで、ユーザは、自宅に置かれた録画機器内の全ての録画番組の中から、所定の再生時間内に再生可能な録画番組の一覧が、スマホ画面の録画リストに表示されるので、所望の時間内で再生可能な番組のみを素早く提供することができる。
【００５４】
図７は、「ＴＶで再生」する場合の表示例、図８は、「スマホで再生」する場合の表示例を示している。「再生時間で絞り込み」の選択肢は、例えば、「すべて」「６０分以内」「３０分以内」「１５分以内」等である。以下、具体的な実施例を説明する。
【００５５】
（１）再生時間で絞り込み
再生時間で絞り込み」を設定すると、再生コースで表示している時間でリストの絞り込みを行う。スマホでの「再生時間で絞り込み」において、「ＴＶで再生」を選択した場合には、「通常再生」と「らく見」と「らく早見」と「飛ばし見」が対象となり、「スマホで再生」が選択された場合には、「通常再生」と「早見」が対象となる。
【００５６】
表示方法として、例えば図７に示す再生時間絞込みアイコンＩ１の表示エリアをタップしたとき、すべて（デフォルト値）、６０分以内、３０分以内、１５分以内の選択肢をプルダウン表示し、ユーザがいずれかを選択することで絞込みを行う。
【００５７】
再生時間を選択したタイミングで、ブラウザのＣｏｏｋｉｅに状態を保存し（２４Ｈ有効）、次回表示時にその状態から復帰する。
【００５８】
「時短で見る」のその他の機能について、以下に説明する。  
【００５９】
図７に示す「時短で見る」画面より、時短機能を設定して録画した番組を効率よく再生することが可能となる。また、ＨＤＤ、通常録画用ＵＳＢ−ＨＤＤの再生、持ち出し番組の選択などが可能となる。なお、ＳｅｅＱＶａｕｌｔ対応ＵＳＢ−ＨＤＤ、ディスクは非対応とする。起動は、Ｗｅｂアプリで表示するメインメニューの「時短で見る」をタップすると、画面読み込み時に、情報を記憶装置１１１から情報取得し、「時短で見る」画面を表示する。
【００６０】
「時短で見る」画面において、検索アイコンＩ２をタップすると、図７に示す絞込み画面を表示する。「時短で見る」画面で絞り込みの結果、録画番組がない場合には、「録画番組がありません。」を表示する。
【００６１】
（２）視聴切換ボタン  
録画コンテンツを「ＴＶで再生」か「スマホで再生」か、切換可能とする。ただし、ＤｉＸｉＭ（登録商標）Ｐｌａｙで、宅外の場合、「ＴＶで再生」はグレーアウトとする。宅内の時は、「ＴＶで再生」か「スマホで再生」の両方とも有効とする。ＤｉＸｉＭＰｌａｙ以外（ＰＣを含む）の時は、常に視聴切換ボタンのエリアを非表示とする。
【００６２】
（３）カテゴリータブ  
本体の時短「お好み設定」で選択したカテゴリがタブとして表示され、「お好み設定（並び順変更）」画面の順番に、左から表示される。デフォルトタブは、先頭タブになる（一番左）。
【００６３】
（４）視聴年齢制限アイコン（インジケータ）  
視聴年齢制限が設定されており(本体でパスワード設定されている時)、かつ、制限に引っかかった番組（またはプレイリスト）が存在して、一時解除していない時、番組（またはプレイリスト）数表示の前に、視聴年齢制限アイコンＩ３を表示する。
【００６４】
「視聴年齢制限」で一時解除すると、対象番組がリストに表示される。ただし、視聴年齢制限が設定されていない時（本体でパスワード設定されていない時）、常にアイコンＩ３は非表示とする。視聴年齢制限を設定していても、制限に引っかかった番組（またはプレイリスト）がなければ、アイコンＩ３は非表示とする。視聴年齢制限番組がない場合、視聴年齢制限の設定に関係なく、アイコンＩ３は非表示とする。視聴年齢制限が一時的に解除されている場合も、アイコンＩ３は非表示とする。
【００６５】
なお、以降の説明を含め、アイコンに代えて何かしらインジケータを表示しても良い。
【００６６】
（５）番組数表示  
選択されたタブに該当する番組数を表示する。
【００６７】
検索アイコンＩ２による絞り込みを行っている場合は、絞り込みでヒットした番組数を表示する。
【００６８】
（６）並び替え表示  
現在の並び替え状態を表示し、プルダウンで選択可能とする。タップすると、プルダウンに新しい順（日付の新しい順に表示（デフォルト値））、古い順（日付の古い順に表示）の選択肢を表示し、選択すると並び替え表示を行う。
【００６９】
（７）「時短で見る」  
時短で見る一覧画面の各表示項目の表示動作は以下の通りである。  
【００７０】
まず、レコーダに記録されている、時短機能を設定して録画したＨＤＤ，通常録画用ＵＳＢ−ＨＤＤ内の番組の一覧を表示する。カテゴリが「おすすめ」の場合、最大１００件を表示し、それ以外のカテゴリは最大１０００件を表示する。
【００７１】
表示項目は、番組名、番組状態、チャンネル、録画日、時間、持ち出し状態、保護状態、自動削除状態とする。
【００７２】
「時短で見る」で録画番組がない場合には、「録画番組がありません。」を表示する。
【００７３】
「時短で見る」画面では、録画中、民放プレミアムサービスチューナー、またはＣＡＴＶチューナーで録画予約した番組、外部入力録画の番組非表示とする。この一覧から、番組の再生、持ち出し番組の選択が可能。
【００７４】
（８）視聴年齢制限番組について  
制限に引っかかった番組があり、視聴年齢制限未設定時、視聴制限番組は表示されない。制限に引っかかった番組があり、視聴年齢制限設定しているが、一時解除していない時、視聴制限番組は表示されない。
【００７５】
「時短で見る」画面を表示している時、本体でお好み設定を行っていない場合（カテゴリを選択していない）、アラート「本体でお好み設定をおこなってください。[了解]」を表示する。また、［了解］選択後は、空の「時短で見る」画面を表示する。
【００７６】
（９）番組名  
最大全角４０文字（半角８０文字）を折り返して表示する。番組名は必ず存在するので、表示可能なところまで表示する。未視聴番組には、一覧の左側に「ＮＥＷ］アイコンＩ４を表示する。おまかせ自動録画された番組には、一覧の左側におまかせ自動録画アイコンＩ５を表示する。
【００７７】
（１０）チャンネル  
チャンネルは、放送局名と放送種別（地デジ、ＢＳ、ＣＳ）を表示する。外部入力チャンネル表示は、「Ｌ１」を表示する。民放！プレミアムサービスチューナー、またはＣＡＴＶチューナーの場合、本体から取得した情報を表示する。取得できなかった場合、「外部チューナー」と表示する。プレイリストの場合や取得不可時、チャンネルはブランク表示とする。放送局名は、最大全角１０文字で表示する。表示可能なところまで表示する。
【００７８】
（１１）録画日  
番組(またはプレイリスト)の録画日を表示する。”ｍｍ/ｄｄ（Ｄ）”の形式で表示する。月・日が１桁の場合、”０”の付加は行わない。（例：１／１ (月)）
（１２）時間  
番組開始時刻と終了時刻を２４Ｈ表記で表示する。・時・分が１桁の場合、“０”の付加は行わない（例：”２３：００〜１：００”）。分が１桁の場合、“０”の付加を行う（例：”２３：００〜１：０５”）。
【００７９】
（１３）スマホ持ち出しアイコン  
持ち出し変換済みの番組に持ち出し対象番組アイコンＩ６を表示する。持ち出し変換予定、または持ち出し変換中の番組に持ち出し変換中アイコンＩ７を表示する。プレイリスト時、スマホ持ち出しアイコンは非対応とし、ブランク表示とする。
【００８０】
（１４）保護アイコン  
本体で番組を保護設定している場合、その番組に保護アイコンＩ８を表示する。プレイリスト時、保護アイコンは非対応とし、ブランク表示とする。
【００８１】
（１５）自動削除アイコン  
おまかせ自動録画で自動削除設定し、予約録画された番組に、自動削除アイコンＩ９を表示する。プレイリスト時、自動削除アイコンは非対応とし、ブランク表示とする。
【００８２】
（１６）再生コース  
再生コースのデフォルトは、本体の再生コースを反映させず、常に「通常再生」になる。再生コースをタップすると、図７の時短で見る（ＴＶで再生）、図８の時短で見る（スマホで再生）のように、２択・４択の選択肢を表示する。対応している再生コースは、図５に従う。再生コースを選択すると、その再生コースで再生開始する。
【００８３】
ただし、「スマホで再生」時、標準画質番組再生は不可とする。標準画質番組の右の再生コース選択肢は、全グレーアウトとする。選択すると、アラートとして「この番組はスマートフォンやタブレットＰＣでは再生できません。[了解]」を表示する。
【００８４】
再生コースの選択肢表示内の選択不可の選択肢はグレーアウトとする。再生コースの選択肢表示中、番組情報エリアをタップすると、選択肢がたたんだ状態に戻る。
【００８５】
再生コース変更時の動作は、(ＴＶで再生)の場合、選択した再生コースは、本体に反映する。(スマホで再生)の場合、選択した再生コースは、本体に反映されない。
【００８６】
以上のように、本実施形態では、「録画リスト」で再生する録画番組を選択する手段に加え、録画番組を再生する時間によって「再生コース」を選択可能な「時短で見る」機能において、ユーザが「再生時間で絞り込み」を指定することにより、自宅に設置した録画装置内の録画番組の再生時間を検索し、所定の再生時間内に再生可能な録画番組の一覧を、スマホ等の携帯端末の画面に録画リストとして表示するようにしているので、ユーザ所望の時間内で再生可能な番組のみを素早く提供することができる。
【００８７】
また、自宅に居る場合は、「ＴＶで再生する」か「スマホで再生する」かを選択でき、リビングで見る場合は「ＴＶで再生する」を選択して大画面で所望の録画番組を楽しむことができ、寝室やお風呂で見る場合は「スマホで再生する」を選択して、所望の録画番組を視聴でき、僅かな空き時間でも有効に活用することができる。
【００８８】
なお、上記実施形態では、スマホ等の携帯端末を外部再生機器として用いる場合を説明したが、外部再生機器はスマホ等の携帯端末に限定されるものではなく、他の情報処理装置であってもよい。
【００８９】
また、上記実施形態では、選択された再生コースの再生時間に基づいて検索を行う場合について説明したが、選択されていない再生コースの再生時間も含めて検索を実施するようにしてもよい。例えば、通常再生モードと特定部分スキップ再生モードを持つときに、どちらかの再生時間が指定された再生時間内に収まるものがヒットするように検索を実施するようにしてもよい。
【００９０】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００９１】
また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００９２】
１００…記録再生装置、１０２…デジタルチューナ装置、１２２…ＴＳ処理部、１１１…記憶装置、１１２…有線通信送受信部、１１３…無線通信送受信部、１１４…赤外線受信部、１１５…ＬＡＮ送受信部、１２３…オーディオデコーダ、１２４…オーディオデータ処理部、１２５…オーディオ出力部、１２６…スピーカ、１３１…画像デコーダ、１３２…画像データ処理部、１３３…画像出力部、１３４…表示器、２００…制御部、２０１…中央演算処理ユニット（ＣＰＵ）、２０２…コマンド処理部、２０３…通信制御部、２０４…デバイス管理部、２１１…メモリ、２１２…表示処理部、２５１…記録再生制御部、２５２…持出し準備部、２５３…ダビング管理部、４００…リモートコントローラ、７００…携帯端末。
【図１】
2019140608.tif 000003
【図２】
2019140608.tif 000004
【図３】
2019140608.tif 000005
【図４】
2019140608.tif 000006
【図５】
2019140608.tif 000007
【図６】
2019140608.tif 000008
【図７】
2019140608.tif 000009
【図８】
2019140608.tif 000010